(57)【特許請求の範囲】
【請求項１】
少なくとも１つのトナー画像をトナーキャリヤベルト（１０）から担体材料（２２）に転写するための装置であって、トナーキャリヤベルト（１０）が、転写したいトナー画像を担持していて、予め規定されたベルト張力を有しており、トナーキャリヤベルト（１０）が、ベルト走行装置（１２）によって保持されており、該ベルト走行装置（１２）が、トナー画像を前記転写するための装置の運転時に担体材料（２２）に転写する転写領域でトナーキャリヤベルト（１０）をローラ装置（１３）によって案内しており、トナーキャリヤベルト（１０）が、転写領域において第１の運転状態で、トナー画像を転写するために、担体材料（２２）の近くに配置されていて、転写領域において第２の運転状態で、トナー画像の転写を阻止するために、予め規定された間隔だけ担体材料（２２）から遠ざけられて配置されており、トナーキャリヤベルト（１０）におけるベルト張力が、第１の運転状態および第２の運転状態でほぼ同じ大きさに設定されており、少なくとも１つの転写ドラム（１４）を有するローラ装置（１３）が、運転状態の交番時に担体材料（２２）に対して少なくともほぼ垂直に往復運動可能である形式のものにおいて、
ベルト走行装置（１２）が、転写ドラム（１４）の両側に、定置の回転軸（３０，３２）を備えたそれぞれ１つの定置のドラム（２６，２８）を有しており、該定置のドラム（２６，２８）と転写ドラム（１４）との間に、それぞれ少なくとも１つの位置可変な補償ドラム（３４，３６）が配置されており、転写ドラム（１４）の回転軸（１６）と補償ドラム（３４，３６）の回転軸（３８，４０）との間の各々の間隔と、補償ドラム（３４，３６）の回転軸（３８，４０）と定置のドラム（２６，２８）の回転軸（３０，３２）との間の各々の間隔とが、各運転状態において一定に保たれており、転写ドラム（１４）の直径と、補償ドラム（３４，３６）の直径と、定置のドラム（２６，２８）の直径とが、同じ大きさに寸法設定されていることを特徴とする、少なくとも１つのトナー画像をトナーキャリヤベルトから担体材料に転写するための装置。
【請求項２】
前記ベルト張力が、第１の運転状態から第２の運転状態への移行段階でも、第２の運転状態から第１の運転状態への移行段階でも同じ大きさに設定されている、請求項１記載の装置。
【請求項３】
転写ドラム（１４）の回転軸（１６）の中心点と補償ドラム（３４，３６）の回転軸（３８，４０）の中心点と、補償ドラム（３４，３６）の回転軸（３８，４０）の中心点と定置のドラム（２６，２８）の回転軸（３０，３２）の中心点とが、剛性的な連結レバー（５０，５２，５４，５６，５８；５０，５２，５５，５８；５０’，５２’，５５’，５８’）によって互いに結合されている、請求項１または２記載の装置。
【請求項４】
両運転状態および移行段階において、定置のドラム（２６，２８）の周壁面と補償ドラム（３４，３６）の周壁面とが、トナーキャリヤベルト（１０）に接触している、請求項１から３までのいずれか１項記載の装置。
【請求項５】
転写ドラム（１４）と少なくとも１つの補償ドラム（３４）との間に、同じ直径の運動可能なクリーニングドラム（４２）が配置されており、転写ドラム（１４）の回転軸（１６）とクリーニングドラム（４２）の回転軸（４４）との間の間隔と、クリーニングドラム（４２）の回転軸（４４）と補償ドラム（３４）の回転軸（３８）との間の間隔とが、各運転状態において均一に保たれている、請求項１から４までのいずれか１項記載の装置。
【請求項６】
転写ドラム（１４）の回転軸（１６）の中心点とクリーニングドラム（４２）の回転軸（４４）の中心点とが、ならびにクリーニングドラム（４２）の回転軸（４４）と補償ドラム（３４）の回転軸（３８）とが、剛性的な連結エレメント（５４，５６）によって結合されている、請求項５記載の装置。
【請求項７】
転写ドラム（１４）の回転軸（１６）が、駆動装置（２０）に結合されており、該駆動装置（２０）が、回転軸（１６）を担体材料（２２）に対してほぼ垂直に線状運動で往復運動させるようになっている、請求項１から６までのいずれか１項記載の装置。
【請求項８】
駆動装置（２０）が、切換偏心器（２４）を有している、請求項７記載の装置。
【請求項９】
クリーニングドラム（４２）の回転軸（４４）が、別の駆動装置（４６）に結合されており、該駆動装置（４６）が、クリーニングドラム（４２）を線状運動で往復運動させるようになっている、請求項５記載の装置。
【請求項１０】
クリーニングドラム（４２）の往復運動時に、トナーキャリヤベルト（１０）が、クリーニングステーション（４８）に係合させられるようになっているかまたはクリーニングステーション（４８）から遠ざけられるようになっている、請求項９記載の装置。
【発明の詳細な説明】
【０００１】
本発明は、少なくとも１つのトナー画像をトナーキャリヤベルトから担体材料に転写するための装置であって、トナーキャリヤベルトが、転写したいトナー画像を担持していて、予め規定されたベルト張力を有しており、トナーキャリヤベルトが、転写領域において第１の運転状態で、トナー画像を転写するために、担体材料の近くに配置されていて、転写領域において第２の運転状態で、トナー画像の転写を阻止するために、予め規定された間隔だけ担体材料から遠ざけられて配置されている形式のものに関する。
【０００２】
同一出願人の国際公開第９８／３９６９１号パンフレットに基づき、記録担体の片面にまたは両面にモノクロでかつ／またはカラーで性能に適合させて印刷するための印刷機器または複写機器が公知である。この機器は転写ベルトを使用している。この転写ベルトには、第１の運転状態で、互いに異なる色調のトナー画像が互いに重ねられる。その後、こうして重なりによって形成された全トナー画像が記録担体に転写される。集積もしくは重畳（Ｓａｍｍｅｌｎ）の運転段階では、トナーキャリヤベルトが担体材料から遠ざけられている。これによって、トナー分解画像の転写が阻止されている。集められた全トナー画像の転写時には、全トナー画像を転写するために、転写ベルトは記録担体の近くに配置されている。ここでは、国際公開第９８／３９６９１号パンフレットの公開内容が本特許出願に関連している。
【０００３】
すなわち、前述した機器コンセプトでは、転写ベルトは転写箇所で印刷中断時に担体材料から遠ざけられ、引き続きの印刷時に再び担体材料に向かって運動させられる。特に多色印刷の運転モードでは、この往復運動は衝突なしに行われなければならない。なぜならば、さもないと、感光体ベルトと、トナー画像を転写するための転写ベルトとの間で同時に行われる転写が損なわれ、たとえばトナー画像がぶれるからである。ベルト緊張装置を備えた慣用の装置は、要求された非衝突性を達成していない。むしろ、劣等の印刷品質を招くベルト張力変化がトナーキャリヤベルトに生ぜしめられる。
【０００４】
ドイツ連邦共和国特許出願公開第４２１００７７号明細書に基づき、印刷潜像のための静電式の転写装置を備えた画像形成装置が公知である。１つの機構を介して旋回可能なドラムは、転写ベルトを感光体ドラムに選択的に接触させるために働く。
【０００５】
ドイツ連邦共和国特許出願公開第４１３９４０９号明細書には、静電式の転写装置を備えた別の画像形成装置が記載されている。少なくとも２つのドラムを介して案内される転写ベルトは印刷媒体を率いて感光体ドラムを通過する。この場合、印刷潜像が感光体ドラムから印刷媒体に転写される。
【０００６】
本発明の課題は、少なくとも１つのトナー画像をトナーキャリヤベルトから担体材料に転写するための装置を改良して、トナーキャリヤベルトの往復運動時でも転写領域で高い印刷品質が達成されるようにすることである。
【０００７】
この課題は請求項１の特徴部に記載の特徴によって解決される。有利な改良形は従属請求項に記載されている。
【０００８】
本発明によれば、トナーキャリヤベルトにおけるベルト張力は、第１の運転状態でも第２の運転状態でも同じ大きさに保たれる。こうして、トナーキャリヤベルトにおける長さ変化もベルト張力ピークも回避される。同時に第２の転写領域でトナーキャリヤベルトへのトナー画像の転写が行われる場合には、均一に保たれたベルト張力に基づき、この転写領域での環境条件は一定に保たれ、高い印刷品質を達成することができる。
【０００９】
トナーキャリヤベルトにおけるベルト張力が、第１の運転状態から第２の運転状態への移行段階でも、第２の運転状態から第１の運転状態への移行段階でも同じ大きさに設定されていると有利である。このことは、この移行段階の間もベルトの搬送運動を維持することができ、これによって、品質損失と同時にトナーキャリヤベルトへのトナー画像の転写の恐れがあり得ないことを意味している。
【００１０】
トナーキャリヤベルトとして転写ベルトを設けることができると有利である。この転写ベルトには、トナー画像形成装置、たとえば感光体ドラムまたは感光体ベルトによってトナー画像が１回の転写工程で転写される。しかし、トナーキャリヤベルトは感光体ベルトであってもよい。この感光体ベルトにはトナー画像が最初に形成される。
【００１１】
以下に、本発明の実施例を図面につき詳しく説明する。
【００１２】
図１には、本発明の第１実施例が簡単な概略図で示してある。転写ベルト１０として形成されたトナーキャリヤベルトはベルト走行装置のローラを巡って案内されている。このベルト走行装置は全体的に符号１２で示してある。図１には、ベルト走行装置１２と転写ベルト１０との一部しか示していない。転写ベルト１０は、ただ１つの転写ドラム１４を備えたローラ装置１３を巡って案内されている。この転写ドラム１４の回転軸１６は、長手方向ガイド１８と駆動装置２０とによって担体材料２２（一般的には紙から成る個別シートまたは帯材料）に対してほぼ垂直方向で往復運動を実施することができる。駆動装置２０は、たとえば切換偏心器２４を有している。この切換偏心器２４の回転時に回転軸１６は往復運動を矢印Ｐ１の方向で実施する。
【００１３】
ベルト走行装置１２は２つの定置のドラム２６，２８を有している。両ドラム２６，２８の回転軸３０，３２はベルト走行装置１２のフレームに定置に固定されている。転写ドラム１４と定置のドラム２６，２８との間には補償ドラム３４，３６が配置されている。両補償ドラム３４，３６の回転軸３８，４０は位置可変であり、たとえば矢印Ｐ２，Ｐ３の方向で運動可能である。
【００１４】
転写ドラム１４と補償ドラム３４との間には運動可能なクリーニングドラム４２が配置されている。このクリーニングドラム４２の回転軸４４は、切換偏心器を備えた別の駆動装置４６によって矢印Ｐ４の方向で往復運動可能である。この往復運動時には、運動可能なクリーニングドラム４２が転写ベルト１０と共にクリーニングローラ４８に係合されるかまたはこのクリーニングローラ４８から係合解除される。このクリーニングローラ４８は、転写後に転写ベルト１０にまだ存在している残留トナー材料を除去するために働く。
【００１５】
定置のドラム２８の回転軸３２と、運動可能なドラム３６の回転軸４０とは、回転軸３２，４０に対して旋回運動を実施することができる剛性的な連結エレメント５０によって互いに結合されている。この剛性的な連結エレメント５０は、両回転軸３２，４０の間の間隔をあらゆる運転段階において一定に保持するために働く。同様に、旋回可能な剛性的な連結エレメント５２が、運動可能なドラム３６の回転軸４０と、転写ドラム１４の回転軸１６との間に配置されている。転写ドラム１４の回転軸１６と、クリーニングドラム４２の回転軸４４との間には、別の剛性的な連結エレメント５４が設けられている。クリーニングドラム４２の回転軸４４と、運動可能なドラム３４の回転軸３８とは連結エレメント５６を介して結合されている。さらに、運動可能なドラム３４の回転軸３８も定置のドラム２６の回転軸３０に旋回可能な剛性的な連結エレメント５８を介して互いに結合されている。連結エレメント５０，５２，５４，５６，５８はそれぞれ異なる長さを有していてよい。本発明の重要な特徴は、ドラム２６，２８，３４，３６，４２，１４の直径が同じ大きさに寸法設定されていることである。また、回転軸１６，３０，３２，３８，４０，４４が互いに平行に配置されていて、図１の紙面に対して垂直に位置していることも重要である。
【００１６】
一般的に、転写ベルト１０はプラスチック材料から成っている。たとえば湿度変化または温度変化に基づき、僅かな程度、たとえばｍｍ範囲で転写ベルト１０の長さ変化が生ぜしめられ得る。この長さ変化を補償するために、別個の緊張ドラム（図示せず）を設けることができる。ローラ２８も緊張ドラムの機能を引き受けることができ、約１ｍｍの変位量を有していてよい。それにもかかわらず、この場合、ローラ２８は定置と考えられ得る。なぜならば、転写箇所におけるこの変位量は、担体材料２２または感光体ベルトに対して転写され得るトナー画像点の位置変化を生ぜしめないからである。
【００１７】
以下に、図１に示した装置の機能形式を説明する。図１に示した状態では、転写ベルト１０は、矢印Ｐ０の方向での前進運動時に担体材料２２のすぐ近くで保持されているかもしくはこの担体材料２２に接触している。この運転状態では、転写ベルト１０に、まだ定着されずに比較的ルーズに存在しているトナー画像を担体材料２２に転写することができる。駆動装置２０が操作されると、第２の運転状態が生ぜしめられる。この第２の運転状態では、転写ドラム１４が矢印Ｐ１の方向で上方に運動させられている。転写ドラム１４の持上げ時には、連結エレメント５０，５２，５４，５６，５８による運動可能なドラム３４，３６，４２への運動の伝達が行われる。定置のドラム２６，２８は運動しない。連結エレメント５０，５２，５４，５６，５８は、上述したように、回転軸３２，４０，１６，４４，３８，３０に旋回可能に支承されている。運動可能なドラム３６，４２，３４は、主として、矢印Ｐ２，Ｐ３の方向で変位させられる。なぜならば、クリーニングドラム４２はブロックされていて、矢印Ｐ４の方向では変位を実施しないからである。連結レバー５０，５２，５４，５６，５８は、転写ベルト１０の、対応する区分に対して正確に平行に延びており、対応配置されたドラム２８，３６，１４，４２，３４，２６の直径は同じ大きさに寸法設定されているので、転写ドラム１４が駆動装置２０によって持ち上げられる行程がどのくらい大きいのかということは無関係に、転写ベルト１０における長さ変化は生ぜしめられない。このことは、転写ベルト１０におけるベルト張力もこの行程とは無関係であり、したがって、一定に保たれていることを意味している。転写ドラム１４の運動時の張力ピークまたは付加的な力は生ぜしめられない。したがって、ベルト張力は転写ドラム１４の両運転段階の間の移行段階でも一定に保たれている。
【００１８】
転写ドラム１４の運動とは無関係に駆動装置４６によってクリーニングドラム４２は矢印Ｐ４の方向で往復運動させられる。この場合、連結レバー５８，５６，５４は補償運動を実施する。この補償運動は、転写ベルト１０が撓められず、したがって、転写ベルト１０の内部のベルト張力も不変に保たれることを保証している。
【００１９】
図１で選択した配置形式によって複数の利点が得られる。連結レバー５０，５２，５４，５６，５８の配置形式は、転写ドラム１４の運動のあらゆる時点で、転写ドラム１４に対する補償ドラム３６，３４の正確な対応を保証している。機械的に複雑な部分は不要となる。前記配置形式の作用機構は一目瞭然である。連結レバー５０，５２，５４，５６，５８は補償ドラム３６，３４の駆動とガイドとを引き受けている。転写ドラム１４とクリーニングドラム４２とだけが固有の駆動装置によって運動しさえすればよい。連結レバー運動機構によって、駆動装置４６とは別個に駆動される運動可能なクリーニングドラム４２の例で示したように、転写ベルト１０の他の箇所での長さ変化のない別の旋回運動の実施が可能となる。
【００２０】
図２には、図１に示した運動機構が概略的に示してある。この場合、同じ部分には同一の符号が付してある。図２に示した装置では、連結レバー５４，５６がただ１つの連結レバー５５にまとめられている。図２で見ることができるように、連結レバーはドラムの両側に配置されている。図２に示した装置は、背後に配置された対応する連結レバー５０′，５２′，５５′，５８′を有している。
【００２１】
図３には、制御カムが使用される別の実施例が示してある。上述した実施例と合致する部分には同じ符号が付してある。転写ベルト１０は矢印Ｐ０の方向でベルト走行装置１２によって運動させられる。第１の転写箇所６０では、感光体ベルト６２に被着されたトナー画像が転写ベルト１０に転写される。この転写ベルト１０は変向ローラ６４で変向され、第１の補償ドラム６６を通過する。この第１の補償ドラム６６は図示の矢印方向で運動可能である。次いで、転写ベルト１０は第２の転写領域６８に到達する。この第２の転写領域６８では、転写ベルト１０に位置するトナー画像または集められた全カラートナー画像が担体材料２２に転写される。転写領域６８にはローラ装置１３が配置されている。このローラ装置１３は担体材料２２に対して垂直方向で往復運動可能である。ローラ装置１３は２つの転写ローラ７０，７２を有している。両転写ローラ７０，７２は図示の矢印の方向で運動可能である。次いで、転写ベルト１０は第２の補償ドラム７４を通過する。この第２の補償ドラム７４は図示の矢印の方向で運動可能である。ベルト走行装置１２は第２の変向ドラム７６を有している。この第２の変向ドラム７６で転写ベルト１０は変向される。
【００２２】
転写ドラム７０，７２と補償ドラム６６，７４とは制御カム７８，８０によって駆動される。このことは、図３の右側に示した制御カム７８でより詳しく見ることができる。この制御カム７８は楕円形の制御面８２を有していて、回転軸８４を中心として回転可能である。図示の状態では、転写ドラム７０が下方に最大限に変位させられているのに対して、補償ドラム６６は左方に最大限に変位させられている。時計回り方向での制御カム７８の回転時には、補償ドラム６６が、楕円形の制御面８２に基づき図３において右方に変位させられるのに対して、転写ドラム７０は適宜に予荷重もしくはプレロードをかけられて上方に移動する。仮に補償ドラム６６が定置である場合には、上方への転写ドラム７０の運動時に、両ドラム６６，７０に巻き掛けられている転写ベルト１０の撓みが特定の長さ差だけ生ぜしめられる。いま、制御カム７８の制御面８２は、転写ドラム７０の上昇運動時に生ぜしめられる長さ差が、右方への補償ドラム６６の運動によって十分に補償されるように湾曲させられている。獲得される制御面８２は必ずしも楕円形である必要はなく、別の曲線形状をとっていてもよい。
【００２３】
図４には、制御カム７８，８０が時計回り方向で９０゜だけ回動した場合の状況が示してある。転写ドラム７０と補償ドラム６６とは、図４の右側に破線で示した位置から、実線で示した位置に運動させられる。図４の左側で見ることができるように、図示の状態では、転写ベルト１０は担体材料２２から持ち上げられている。この状態では、担体材料２２へのトナー画像の転写は阻止される。さらに、転写ベルト１０と担体材料２２とは互いに異なる速度を有していてよい。このことは、印刷運転の開始のためにかつ印刷運転の停止のために有利である。なぜならば、両運転段階で相対速度が生ぜしめられ得るからである。有利には、制御カム７８の制御面８２は、転写ベルト１０のための長さ補償が行われるように湾曲させられている。これによって、転写ドラム７０、７２と補償ドラム６６，７４との全ての運動段階でも転写ベルト１０の長さ差は転写ドラム７０，７２の往復運動に基づき補償されるようになっている。この事例では、転写ベルト１０にベルト張力変化および長さ変化は生ぜしめられないので、転写箇所６０で引き続き転写をブレ作用なしに行うことができる。
【００２４】
図３および図４に示した実施例では、両制御カム７８，８０は対称的に回転させられる。この場合、対称的な運動経過も得られ、両転写ドラム７０，７２は平行に旋回させられる。図３および図４に示したこの実施例は多種多様に変化させることができる。制御カム７８，８０は非対称的に回転させることができる。これによって、互いに異なる非対称的な旋回経過が得られる。転写ドラム７０と所属の補償ドラム６６とから成るドラム対もしくは転写ドラム７２と補償ドラム７４とから成るドラム対を操作するためには、それぞれ１つの共通の制御カム７８；８０が配置されてもよいし、別個の制御カムが共通の軸または別個の軸に配置されてもよい。
【００２５】
図５には、本発明の別の実施例が示してある。この実施例では、ばね負荷された緊張ローラが使用される。転写ベルト１０を搬送するベルト走行装置１２は、定置の変向ローラ９０，９２，９４と、２つの緊張ローラ９６，９８と、２つの転写ドラム１００，１０２から成る往復運動可能なローラ装置１３とを有している。緊張ローラ９６，９８は、それぞれ旋回アーム１０４，１０６によって、ガイドロッド１１０の端部に設けられた不動の回動軸１０８に旋回可能に取り付けられている。さらに、緊張ローラ９６，９８の回転軸１１２，１１４は連結ロッド１１６，１１８を介して回動ピン１２０に旋回可能に支承されている。この回動ピン１２０はスライド片１２２に取り付けられている。このスライド片１２２はガイドロッド１１０に沿って運動可能である。同様に、両転写ドラム１００，１０２を備えたローラ装置１３もガイドロッド１１０に沿って運動可能である。ガイドロッド１１０は上側の端部でベルト走行装置１２に定置に固く固定されている。圧縮ばね１２４はスライド片１２２に予荷重もしくはプレロードをかけている。いま、ローラ装置１３が中心線１２６に沿って上方に運動させられると、定置の緊張ローラ９６，９８の箇所で転写ベルト１０におけるベルト撓みが生ぜしめられる。圧縮ばね１２４がスライド片１２２をガイドロッド１１０に沿って下方に押圧する。この場合、連結ロッド１１６，１１８が緊張ローラ９６，９８を対称的に外方に円軌道に沿って運動させる。この円軌道は旋回アーム１０４，１０６によって規定されている。こうして、ベルト撓みが生ぜしめられることが阻止される。緊張ローラ９６，９８の対称的な配置と、連結ロッド１１６，１１８と中央の圧縮ばね１２４とによる関係とによって、転写ベルト１０はローラ装置１３の両側で同じ程度に十分に緊張される。転写ベルト１０自体が伸長しないことが前提条件とされている場合には、実際のベルト長さが変化することはあり得ない。これに基づき、転写箇所６８で転写ベルト１０上の個々の画像点が中心線１２６に沿ってひいては担体材料２２に対して垂直に運動することが得られる。これによって、トナー画像のブレは排除されている。したがって、担体材料２２に対するローラ装置１３の当接・離間旋回時には、印刷画像のブレが生じることはあり得ない。対称的な特性を獲得するために、両転写ドラム１００，１０２は中心線１２６に対して対称的に配置することができる。ばね変位に基づき、印刷転写ベルトにおけるベルト張力は両運転モードで互いに僅かに異なっていてよい。しかし、転写ベルト１０の長さが、ローラ装置１３の当接・離間旋回による両運転状態で同じ長さに保たれていることは保証されている。
【図面の簡単な説明】
【図１】  連結レバー運動機構の概略図である。
【図２】  連結レバー運動機構の簡単な斜視図である。
【図３】  制御カムを備えた運動機構を示す図である。
【図４】  図３に示した制御カムの別の運動段階を示す図である。
【図５】  緊張ドラムを備えた別の実施例を示す図である。
【符号の説明】
１０  転写ベルト、１２  ベルト走行装置、１３  ローラ装置、１４  転写ドラム、１６  回転軸、１８  長手方向ガイド、２０  駆動装置、２２  担体材料、２４  切換偏心器、２６  ドラム、２８  ドラム、３０  回転軸、３２  回転軸、３４  補償ドラム、３６  補償ドラム、３８  回転軸、４０  回転軸、４２  クリーニングドラム、４４  回転軸、４６  駆動装置、４８  クリーニングローラ、５０，５０′  連結レバー、５２，５２′  連結レバー、５４  連結レバー、５５，５５′  連結レバー、５６  連結レバー、５８，５８′  連結レバー、６０  転写箇所、６２  感光体ベルト、６４  変向ローラ、６６  補償ドラム、６８  転写領域、７０  転写ドラム、７２  転写ドラム、７４  補償ドラム、７６  変向ドラム、７８  制御カム、８０  制御カム、８２  制御面、８４  回転軸、９０  変向ローラ、９２  変向ローラ、９４  変向ローラ、９６  緊張ローラ、９８  緊張ローラ、１００  転写ドラム、１０２  転写ドラム、１０４  旋回アーム、１０６  旋回アーム、１０８  回動軸、１１０  ガイドロッド、１１２  回転軸、１１４  回転軸、１１６  連結ロッド、１１８  連結ロッド、１２０  回動ピン、１２２  スライド片、１２４  圧縮ばね、１２６  中心線、Ｐ０，Ｐ１，Ｐ２，Ｐ３，Ｐ４  矢印
【図１】
0004430243.tif 000002
【図２】
0004430243.tif 000003
【図３】
0004430243.tif 000004
【図４】
0004430243.tif 000005
【図５】
0004430243.tif 000006